(57)【要約】      （修正有）【課題】後方側に移動フードを有してナット部材を用いて前後動させる釣竿において、リール足の緊締操作を心地よく行え、釣竿操作の際に不用意にナット部材を緩め難く、更には、ナット部材の摘み部の耐久性を向上させる。【解決手段】把持した手の一部がナット部材１８に達し、筒状移動フード体１６の後端部とナット部材前端部とは、径方向に殆ど径差の無い面一状に連結されており、ナット部材の一部であって、雌ねじを内周に有するナット部材本体１８Ｈの後半部所定位置には外径の縮径された縮径部を有しており、該縮径部にはナット部材本体部よりも柔軟で弾力性を有する部材の摘み部材１８Ｃを接着固定し、該摘み部材は環状基盤部Ｈと、該環状基盤部の前端よりも後方に離れた位置において該環状基盤部の外周面に突出した凸部Ｇとを有しており、少なくとも環状基盤部の前端部外周面は隣接するナット部材本体外周面と殆ど径差の無い面一状であるよう構成する。【選択図】図２
2005185213.tif 000002
【特許請求の範囲】
【請求項１】
筒状リール装着部本体の前側部に固定フードが配設されており、該固定フードの後方側に移動フードを有する筒状移動フード体が対向配置されており、前記筒状リール装着部本体の後方側外周に雄ねじが設けられ、該雄ねじと螺合する雌ねじを有するナット部材が前記筒状移動フード体の後端部に回動可能に連結され、該筒状移動フード体を前後に駆動してリールの足を緊締、解除できるリール装着部を有する釣竿において、
標準サイズのスピニングリールを緊締した状態で把持した手の一部が前記ナット部材に達する寸法位置関係にあり、
筒状移動フード体の後端部とナット部材前端部とは、径方向に殆ど径差の無い面一状に連結されており、
ナット部材の一部であって、雌ねじを内周に有するナット部材本体の後半部所定位置には外径の縮径された縮径部を有しており、該縮径部には、該縮径部よりも前側領域のナット部材本体部よりも柔軟で弾力性を有する部材の摘み部材を接着固定して摘み部としており、
該摘み部材は環状基盤部と、該環状基盤部の前端よりも後方に離れた位置において該環状基盤部の外周面に突出した凸部とを有しており、少なくとも環状基盤部の前端部外周面は隣接するナット部材本体外周面と殆ど径差の無い面一状であり、
標準サイズのスピニングリールを緊締した状態で把持した手の一部は前記摘み部材にまでは達しない寸法位置関係にあり、
前記摘み部材よりも前側のナット部材本体外周は、該摘み部材よりも手に対して滑り性が高い
ことを特徴とする釣竿。
【発明の詳細な説明】
【技術分野】
【０００１】
本発明は、前側に固定フードを有し、後方側に移動フードを有し、該移動フードをナット部材を用いて前後動させるリール装着部を有する釣竿に関する。例えば、磯竿等に適用できる。
【背景技術】
【０００２】
下記特許文献１，２には、移動フードを有する筒状移動フード体に回転可能に連結係合したナット部材を回動させて、移動フードを前後に移動させるリール装着部が開示されている。文献１は緊締筒（ナット部材）の外周に柔軟弾性部材の摘み部材を被着した構造が開示されている。こうした柔軟弾性部材を指で摘んで回動操作させると感触がよい。また、文献２はナット部材の半分程にローレットを形成して摘み部とした構造が開示されている。ナット部材に直接設けたローレットであるため、耐久性が高い。
【特許文献１】実開平５−４３８６４号公報
【特許文献２】特開２００１−６１３８１号公報
【発明の開示】
【発明が解決しようとする課題】
【０００３】
然しながら、上記文献１に開示のリール装着部では、リール装着部を把持した手がナット部材にまで達すれば、釣竿操作の際に摩擦の大きな柔軟弾性部材の摘み部材に手が接触し、これによりナット部材が不用意に緩み易い。文献２に開示のリール装着部では、耐久性はあるが、摘み部を摘んだ回動操作の感触はよくない。
従って、解決しようとする課題は、後方側に移動フードを有して該移動フードをナット部材を用いて前後動させるリール装着部を有する釣竿において、リール足の緊締操作を心地よく行え、釣竿操作をする際に不用意にナット部材を緩め難く、更には、ナット部材の摘み部の耐久性を向上させた釣竿の提供である。
【課題を解決するための手段】
【０００４】
本発明は請求項１では、筒状リール装着部本体の前側部に固定フードが配設されており、該固定フードの後方側に移動フードを有する筒状移動フード体が対向配置されており、前記筒状リール装着部本体の後方側外周に雄ねじが設けられ、該雄ねじと螺合する雌ねじを有するナット部材が前記筒状移動フード体の後端部に回動可能に連結され、該筒状移動フード体を前後に駆動してリールの足を緊締、解除できるリール装着部を有する釣竿において、標準サイズのスピニングリールを緊締した状態で把持した手の一部が前記ナット部材に達する寸法位置関係にあり、筒状移動フード体の後端部とナット部材前端部とは、径方向に殆ど径差の無い面一状に連結されており、ナット部材の一部であって、雌ねじを内周に有するナット部材本体の後半部所定位置には外径の縮径された縮径部を有しており、該縮径部には、該縮径部よりも前側領域のナット部材本体部よりも柔軟で弾力性を有する部材の摘み部材を接着固定して摘み部としており、該摘み部材は環状基盤部と、該環状基盤部の前端よりも後方に離れた位置において該環状基盤部の外周面に突出した凸部とを有しており、少なくとも環状基盤部の前端部外周面は隣接するナット部材本体外周面と殆ど径差の無い面一状であり、標準サイズのスピニングリールを緊締した状態で把持した手の一部は前記摘み部材にまでは達しない寸法位置関係にあり、前記摘み部材よりも前側のナット部材本体外周は、該摘み部材よりも手に対して滑り性が高いことを特徴とする釣竿を提供する。
ここで、筒状移動フード体の後端部とナット部材前端部との面一状とは、僅かな径差は許容する意味であり、具体的には、半径差が０．３ｍｍ以下である。好ましくは０．１ｍｍ以下である。また、環状基盤部の前端部外周面は隣接するナット部材本体外周面と殆ど径差の無い面一状とは、具体的には、半径差が０．２ｍｍ以下である。
【発明の効果】
【０００５】
本発明の請求項１では、凸部を有し、ナット部材本体よりも柔軟で弾力性を有する部材の摘み部材によって摘み部を形成しているため、リール足の緊締操作を心地よく快適に行える。また、標準サイズのスピニングリールを緊締した状態で把持した手の一部が前記ナット部材に達しても、筒状移動フード体の後端部とナット部材の前端部とが径方向に殆ど径差の無い面一状に連結されていると共に、手は摘み部材にまでは達せず、しかも摘み部材よりも前側のナット部材本体外周は、該摘み部材よりも手に対して滑り性が高いため、釣り操作中に手によってナット部材が不用意に緩むことが防止できる。更には、縮径部に接着固定した摘み部材の環状基盤部の前端部は、隣接するナット部材本体外周面と殆ど径差の無い面一状であるため、釣竿の各種扱い中に、環状基盤部の前端に指先等を引っ掛けて、該摘み部材を不用意に剥がしてしまうことが防止される。また、凸部は環状基盤部の前端よりも後方に離れた位置に設けられており、摘み部材は柔軟な部材であるため、指先がこの凸部に当っても、環状基盤部の前端に当たる場合と比較すれば摘み部材を剥がす作用は小さく、その影響は小さいといえる。従って、摘み部の耐久性を向上させることができる。
【発明を実施するための最良の形態】
【０００６】
以下、本発明を図面を用いて詳細に説明する。
図１は本発明に係る釣竿の一種の磯竿のリール装着部の側面図であり、図２はその移動フードとナット部材の拡大部分縦断面図、図３はナット部材本体のベース部材の拡大部分縦断面図、図４はナット部材本体に装着している摘み部材の拡大図、図５は他の形態の摘み部材の拡大部分縦断面図、図６は図２に代わる他の形態例である。
【０００７】
エポキシ樹脂等の合成樹脂をマトリックスとし、炭素繊維等の強化繊維で強化した繊維強化樹脂製竿管１０の所定位置外側に、合成樹脂（例えばナイロンやＡＢＳ）製の所定長さの筒状リール装着部本体１２を套嵌、接着接合させている。この筒状リール装着部本体の前側領域に套嵌させると共に接着接合させたカバー部材１４は、固定フードＦ１を一体に有しており、該固定フードの後方位置には移動フードＦ２が対向配置されている。該移動フードを有する部材は筒状体である。
【０００８】
これら両フード間の筒状リール装着部本体部がリール足ＲＦの載置部１２Ｓである。カバー部材は、このリール載置部とは径方向反対側の筒状リール装着部本体部を覆いつつ後方側に延伸している延伸部１４Ｅを有している。この延伸部は内側の筒状リール装着部本体との間に隙間を有しており、移動フードを有する筒状の移動フード体１６が前進侵入可能であり、また、標準サイズのスピニングリールを緊締装着した場合に、図１に示す様に、筒状移動フード体の前部が侵入する。カバー部材の内、固定フード部分から連続する延伸部１４Ｅの領域は、スピニングリールを装着して把持した場合に、図示の如く主に手の掌が位置するが、その領域に孔１４Ｈを多数分散して設けているため滑り難く、また手が濡れていてもこれらの孔に水滴を吸収させ、滑り難くできる。また、筒状移動フード体１６の側部に設けた孔１６Ｈは指先が引っ掛り、滑り防止の作用をする。
【０００９】
ステンレスやチタンやマグネシウム合金等の金属製の筒状移動フード体１６の後端部は、その後側のナット部材１８に対して周知の形態で連結係合している。即ち、ナット部材１８の本体部であるナット部材本体１８Ｈの基部材となるナイロン等の合成樹脂製ベース部材１８Ａの前端近くに設けた係合溝１８ＡＫに、筒状移動フード体１６の後端部が被さるように連結し、相対回転のみ可能となっている。また、筒状移動フード体には筒状リール装着部本体に設けた図示しない前後方向の溝に係合する係合部１６Ｋが形成されており、筒状移動フード体の回転を防止している。また、ベース部材１８Ａの内側には雌ねじ１８Ｍが設けてあり、筒状リール装着部本体の後部領域に設けた図示しない雄ねじと螺合する。従って、ナット部材１８を回動させて筒状移動フード体１６を前後に駆動できる。
【００１０】
ベース部材１８Ａの外側には、係合溝１８ＡＫの直後にフランジ状の鍔部１８ＡＦが形成されている。この鍔部に後方から突き当てるように、この例ではナット部材本体の一部となる繊維強化樹脂製の筒体１８Ｂを被せ、これを接着固定している。この接合強度を向上させるため、可能な場合は、図３に示す様に前後方向の浅い溝１８ＡＯを設け、接着剤溜りとするのがよい。更に、ベース部材１８Ａの後半部に設けた縮径部１８Ｓの上であって筒体の直後位置に、該筒体よりも、また、ベース部材よりも柔軟で弾力性を有するゴム製の摘み部材１８Ｃが接着固定される。更にこの摘み部材の直後位置のベース部材外周に対して、キャップ部材１８Ｄが接着固定されている。このキャップ部材を含めてナット部材本体Ｈと考えてもよく、また、これを除外してもよい。該キャップ部材はナイロンやＡＢＳ等の合成樹脂や、真鍮やステンレスやアルミニウム等の金属や、セラミックスで形成したり、これらの表面にメッキや塗装を施して、美観を向上させても良い。
【００１１】
筒体１８Ｂの外径は、ベース部材１８Ａの鍔部外径Ｄ２と実質的に同じである。一方、筒状移動フード体１６の後端外径Ｄ１は前記外径Ｄ２と実質的に同じであり、その結果該境界部は面一状である。例えば、Ｄ１は２３．７ｍｍ、Ｄ２は２３．８ｍｍである。従って、図１のようにスピニングリールを装着した状態で把持した手の一部（掌の一部）がナット部材にまで達しても、ナット部材と筒状移動フード体との境界部において違和感を生ぜず、把持感が向上すると共に、筒状移動フード体とナット部材の境界部やその後側に手の掌が接触して竿操作を行っても、引っ掛らずナット部材が緩み難い。更には、手は摘み部にまでは達せず、筒体表面はゴム製等の柔軟弾力性部材の摘み部材表面よりも手に対して滑り性が高いため、ナット部材を更に緩ませ難い。
【００１２】
また、前記摘み部材１８Ｃは環状（筒状）の基盤部Ｈと、該基盤部表面に対して突出した複数個のグリップ凸部Ｇとを有している。この凸部の平面視は、前後方向に長い概ね楕円、或いは紡錘形状である。これを装着した状態の環状基盤部前端部の外径Ｄ４は、筒体１８Ｂの後端外径Ｄ３、即ち、摘み部材前端に隣接するナット部材本体外径Ｄ３と実質的に同じである。各グリップ凸部Ｇは、環状基盤部の前端から適宜距離Δ後退した位置に設けられ、その高さδは０．３〜１ｍｍ程度が好ましい。これよりも低ければ回動操作時に凸部としての引っ掛りの作用が生ぜず、余り高ければ、竿の各種操作中に該凸部に指先等が引っ掛って、柔軟弾力性の摘み部材１８Ｃを不用意に剥がし易いからである。また、上記の紡錘等の形状も、指先が凸部の細い前後端に引っ掛る可能性を低減させている。
【００１３】
また、摘み部を摘んだナット部材１８の回動操作を繰り返す内に、摘み部材のベース部材１８Ａとの接着接合が剥れることを防止するため、縮径部１８Ｓのベース部材外周には前後方向に延伸した凸条１８ＡＴを適宜数設け、これに係合する溝１８ＣＯを摘み部材の内周に設けてもよい。また、凹凸関係を逆にしてもよい。
ナット部材１８を回動させる場合に、この摘み部材からなる摘み部を摘んで回動させるとその柔軟性や弾力性に起因して把持感がよい。この摘み部材は、図７に示す様な細線状に前後方向に長いグリップ凸部Ｇ’を有する摘み部材１８Ｃ’としてもよい。
【００１４】
図６は、ナット部材の変形例を示した図２に対応する図である。上記形態例と異なる部分のみ説明する。図２の場合の、ベース部材１８Ａと、筒体１８Ｂと、キャップ部材１８Ｄとが一体となり、ナイロン等の合成樹脂製ナット部材本体１８Ｈ’が形成されている。勿論、ナット部材本体１８Ｈ’は合成樹脂製でなくてもよく、金属製等でもよい。その他、鍔部１８ＡＦは無く、係合溝１８ＡＫの後部は縮径部１８Ｓに至るまで同一肉厚に形成しているが、同一肉厚でなくてもよい。その他の各種事項は図２の形態例の場合と同じである。
本願では、例えば、延伸部１４Ｅは無くてもよい等の種々の他の変形例がある。
【産業上の利用可能性】
【００１５】
本発明は、磯竿等の釣竿に適用できる。
【図面の簡単な説明】
【００１６】
【図１】図１は本発明に係る釣竿の要部側面図である。
【図２】図２は図１の筒状移動フード体とナット部材の拡大部分縦断面図である。
【図３】図３は図１のナット部材本体のベース部材の拡大部分縦断面図である。
【図４】図４は図１のナット部材本体に装着している摘み部材の拡大図である。
【図５】図５は他の形態の摘み部材の拡大部分縦断面図である。
【図６】図６は図２（図１）に代わる他の形態例の筒状移動フード体とナット部材の拡大部分縦断面図である。
【符号の説明】
【００１７】
１２                筒状リール装着部本体
１６                筒状移動フード体
１８                ナット部材
１８Ｈ，１８Ｈ’    ナット部材本体
１８Ｃ              摘み部材
Ｆ１                固定フード
Ｆ２                移動フード
【図１】
2005185213.tif 000003
【図２】
2005185213.tif 000004
【図３】
2005185213.tif 000005
【図４】
2005185213.tif 000006
【図５】
2005185213.tif 000007
【図６】
2005185213.tif 000008